(57)【要約】  簡単な設定で、制御の対象となるエレベーターを間違えることなく、監視装置から外部への情報の送信を維持することができるエレベーターシステムを提供する。エレベーターシステムは、建築物に設けられた複数のエレベーターにそれぞれ対応し、第１プロトコルに対して同じアドレスを有し、第２プロトコルに対して異なるアドレスを有した複数の監視装置と、前記複数の監視装置の各々からの前記第１プロトコルの情報を通過させず、前記複数の監視装置の各々からの前記第２プロトコルの情報を通過させる中継装置と、を備えた。
2020012652.tif 000002
【特許請求の範囲】
【請求項１】
建築物に設けられた複数のエレベーターにそれぞれ対応し、第１プロトコルに対して同じアドレスを有し、第２プロトコルに対して異なるアドレスを有した複数の監視装置と、
前記複数の監視装置の各々からの前記第１プロトコルの情報を通過させず、前記複数の監視装置の各々からの前記第２プロトコルの情報を通過させる中継装置と、
を備えたエレベーターシステム。
【請求項２】
前記複数の監視装置は、前記第１プロトコルにより保守用端末と情報をやり取りする請求項１に記載のエレベーターシステム。
【請求項３】
前記複数の監視装置は、前記第２プロトコルにより前記中継装置を介して外部の装置と情報をやり取りする請求項１に記載のエレベーターシステム。
【発明の詳細な説明】
【技術分野】
【０００１】
この発明は、誤操作防止機能を備えたエレベーターシステムに関する。
【背景技術】
【０００２】
特許文献１は、エレベーターシステムを開示する。当該エレベーターシステムによれば、制御の対象となるエレベーターを間違えることなく、監視装置から外部への情報の送信を維持し得る。
【先行技術文献】
【特許文献】
【０００３】
【特許文献１】日本特開２００７−６７８４８号公報
【発明の概要】
【発明が解決しようとする課題】
【０００４】
しかしながら、特許文献１に記載のエレベーターシステムにおいては各機器のアドレスの設定が煩雑となる。このため、各機器のアドレスの設定を間違えることもある。【０００５】
この発明は、上述の課題を解決するためになされた。この発明の目的は、簡単な設定で、制御の対象となるエレベーターを間違えることなく、監視装置から外部への情報の送信を維持することができるエレベーターシステムを提供することである。
【課題を解決するための手段】
【０００６】
この発明に係るエレベーターシステムは、建築物に設けられた複数のエレベーターにそれぞれ対応し、第１プロトコルに対して同じアドレスを有し、第２プロトコルに対して異なるアドレスを有した複数の監視装置と、前記複数の監視装置の各々からの前記第１プロトコルの情報を通過させず、前記複数の監視装置の各々からの前記第２プロトコルの情報を通過させる中継装置と、を備えた。
【発明の効果】
【０００７】
この発明によれば、中継装置は、複数の監視装置の各々からの第１プロトコルの情報を通過させない。中継装置は、複数の監視装置の各々からの第２プロトコルの情報を通過させる。このため、簡単な設定で、制御の対象となるエレベーターを間違えることなく、監視装置から外部への情報の送信を維持することができる。
【図面の簡単な説明】
【０００８】
【図１】実施の形態１におけるエレベーターシステムの構成図である。
【図２】実施の形態１におけるエレベーターシステムで行われる監視センター装置への通報を説明するための図である。
【図３】実施の形態１におけるエレベーターシステムで行われるエレベーターの制御を説明するための図である。
【図４】実施の形態１におけるエレベーターシステムで行われる第２プロトコルのアドレスの割り当ての例を説明するための図である。
【図５】実施の形態１におけるエレベーターの監視装置のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーターシステムの構成図である。
【００１１】
図１のエレベーターシステムは、複数の制御装置１と複数の監視装置２と中継装置３と受信装置４と監視センター装置５とを備える。
【００１２】
複数の制御装置１の各々は、建築物に設けられた複数のエレベーターの各々に対応する。複数の制御装置１の各々は、複数のエレベーターの各々を全体的に制御し得るように設けられる。
【００１３】
複数の監視装置２の各々は、複数のエレベーターの各々に対応する。複数の監視装置２の各々は、複数の制御装置１の各々に電気的に接続される。複数の監視装置２の各々は、複数の制御装置１の各々からの情報に基づいて複数のエレベーターの状態を監視し得るように設けられる。
【００１４】
例えば、中継装置３は、ルータである。中継装置３は、複数の監視装置２の各々に電気的に接続される。中継装置３は、複数の監視装置２の各々からの情報を外部の装置に中継し得るように設けられる。
【００１５】
受信装置４は、中継装置３からの情報を受信し得るように設けられる。
【００１６】
監視センター装置５は、受信装置４が受信した情報に基づいて複数のエレベーターの状態を把握し得るように設けられる。
【００１７】
複数のエレベーターの各々の保守が行われる際、保守用端末６は、複数の監視装置２の各々と中継装置３との間の配線を介して監視装置２に接続される。保守用端末６は、監視装置２と複数のエレベーターの各々の保守に必要な情報をやり取りする。
【００１８】
次に、図２を用いて、監視センター装置５への通報を説明する。
図２は実施の形態１におけるエレベーターシステムで行われる監視センター装置への通報を説明するための図である。
【００１９】
図２に示されるように、複数の監視装置２は、第１プロトコルに対して同じアドレスを有する。例えば、複数の監視装置２は、ＩＰｖ４アドレス「ａａａ」を有する。
【００２０】
複数の監視装置２は、第２プロトコルに対して異なるアドレスを有する。例えば、複数の監視装置２の一方は、ＩＰｖ６アドレスＡＡＡを有する。例えば、複数の監視装置２の一方は、ＩＰｖ６アドレスＡＢＢを有する。
【００２１】
例えば、保守用端末６は、ＩＰｖ４アドレスｃｃｃを有する。例えば、保守用端末６は、ＩＰｖ６アドレスＡＣＣを有する。
【００２２】
中継装置３は、複数の監視装置２の各々からの第１プロトコルの情報を通過させないように設けられる。中継装置３は、複数の監視装置２の各々からの第２プロトコルの情報を通過させるように設けられる。例えば、中継装置３は、ＩＰｖ６プレフィックスＡの情報を通過させ得るように設けられる。
【００２３】
この場合、複数の監視装置２の一方は、第２プロトコルにより複数の制御装置１の一方からの情報を中継装置３と受信装置４とを介して監視センターに送信する。複数の監視装置２の他方は、第２プロトコルにより複数の制御装置１の他方からの情報を中継装置３と受信装置４とを介して監視センターに送信する。
【００２４】
次に、図３を用いて、エレベーターの制御を説明する。
図３は実施の形態１におけるエレベーターシステムで行われるエレベーターの制御を説明するための図である。
【００２５】
図３に示されるように、複数の保守用端末６の一方は、第１プロトコルにより複数の監視装置２の一方を介して複数の制御装置１の一方に情報を送信する。当該情報は、中継装置３を通過しない。このため、当該情報は、複数の制御装置１の他方に届くことはない。
【００２６】
図示されないが、複数の保守用端末６の他方は、第１プロトコルにより複数の監視装置２の他方を介して複数の制御装置１の他方に情報を送信する。当該情報は、中継装置３を通過しない。このため、当該情報は、複数の制御装置１の一方に届くことはない。
【００２７】
次に、図４を用いて、第２プロトコルのアドレスの割り当ての例を説明する。
図４は実施の形態１におけるエレベーターシステムで行われる第２プロトコルのアドレスの割り当ての例を説明するための図である。
【００２８】
図４に示されるように、複数の監視装置２の一方は、ルータ要請の情報を送信する。中継装置３は、当該ルータ要請の情報に基づいてプレフィックスＡの情報を複数の監視装置２の一方に送信する。複数の監視装置２の一方は、プレフィックスＡの情報と自らのＭＡＣアドレスＡＡとに基づいてＩＰｖ６のアドレスＡＡＡを生成する。
【００２９】
図示されないが、複数の監視装置２の他方は、ルータ要請の情報を送信する。中継装置３は、当該ルータ要請の情報に基づいてプレフィックスＡの情報を複数の監視装置２の他方に送信する。複数の監視装置２の他方は、プレフィックスＡの情報と自らのＭＡＣアドレスＢＢとに基づいてＩＰｖ６のアドレスＡＢＢを生成する。
【００３０】
図示されないが、保守用端末６は、ルータ要請の情報を送信する。中継装置３は、当該ルータ要請の情報に基づいてプレフィックスＡの情報を保守用端末６に送信する。保守用端末６は、プレフィックスＡの情報と自らのＭＡＣアドレスＣＣとに基づいてＩＰｖ６のアドレスＡＣＣを生成する。
【００３１】
以上で説明した実施の形態１によれば、中継装置３は、複数の監視装置２の各々からの第１プロトコルの情報を通過させない。中継装置３は、複数の監視装置２の各々からの第２プロトコルの情報を通過させる。このため、簡単な設定で、制御の対象となるエレベーターを間違えることなく、監視装置２から外部への情報の送信を確実に維持することができる。このため、保守時における保守員の安全性および通常時におけるエレベーターの利用者の安全性の双方を確保することができる。
【００３２】
また、複数の監視装置２は、第１プロトコルの同じアドレスにより保守用端末６と情報をやり取りする。このため、複数の監視装置２に対し、第１プロトコルのアドレスの設定の間違いを抑制することができる。
【００３３】
この際、監視装置２において、第１プロトコルのアドレスは、監視装置２に設定すればよい。この場合、エレベーターが設置された現場において、監視装置２に対する第１プロトコルのアドレスの設定を不要とすることができる。
【００３４】
また、複数の監視装置２は、第２プロトコルの異なるアドレスにより中継装置３を介して外部の装置と情報をやり取りする。このため、外部の装置において、情報を送信した監視装置２に対応したエレベーターを容易に特定することができる。
【００３５】
次に、図５を用いて、監視装置２の例を説明する。
図５は実施の形態１におけるエレベーターの監視装置のハードウェア構成図である。
【００３６】
監視装置２の各機能は、処理回路により実現し得る。例えば、処理回路は、少なくとも１つのプロセッサ７ａと少なくとも１つのメモリ７ｂとを備える。例えば、処理回路は、少なくとも１つの専用のハードウェア８を備える。
【００３７】
処理回路が少なくとも１つのプロセッサ７ａと少なくとも１つのメモリ７ｂとを備える場合、監視装置２の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ７ｂに格納される。少なくとも１つのプロセッサ７ａは、少なくとも１つのメモリ７ｂに記憶されたプログラムを読み出して実行することにより、監視装置２の各機能を実現する。少なくとも１つのプロセッサ７ａは、中央処理装置、処理装置、演算装置、マイクロプロセッサ、マイクロコンピュータ、ＤＳＰともいう。例えば、少なくとも１つのメモリ７ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００３８】
処理回路が少なくとも１つの専用のハードウェア８を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、監視装置２の各機能は、それぞれ処理回路で実現される。例えば、監視装置２の各機能は、まとめて処理回路で実現される。
【００３９】
監視装置２の各機能について、一部を専用のハードウェア８で実現し、他部をソフトウェアまたはファームウェアで実現してもよい。例えば、制御装置１と情報をやり取りする機能については専用のハードウェア８としての処理回路で実現し、制御装置１と情報をやり取りする機能以外の機能については少なくとも１つのプロセッサ７ａが少なくとも１つのメモリ７ｂに格納されたプログラムを読み出して実行することにより実現してもよい。
【００４０】
このように、処理回路は、ハードウェア８、ソフトウェア、ファームウェア、またはこれらの組み合わせで監視装置２の各機能を実現する。
【００４１】
図示されないが、制御装置１の各機能も、監視装置２の各機能を実現する処理回路と同等の処理回路で実現される。中継装置３も、監視装置２の各機能を実現する処理回路と同等の処理回路で実現される。監視センター装置５の各機能も、監視装置２の各機能を実現する処理回路と同等の処理回路で実現される。
【産業上の利用可能性】
【００４２】
以上のように、この発明に係るエレベーターシステムは、エレベーターを監視するシステムに利用できる。
【符号の説明】
【００４３】
１  制御装置、  ２  監視装置、  ３  中継装置、  ４  受信装置、  ５  監視センター装置、  ６  保守用端末、  ７ａ  プロセッサ、  ７ｂ  メモリ、  ８  ハードウェア
【図１】
2020012652.tif 000003
【図２】
2020012652.tif 000004
【図３】
2020012652.tif 000005
【図４】
2020012652.tif 000006
【図５】
2020012652.tif 000007
【国際調査報告】
2020012652.tif 000008
2020012652.tif 000009
2020012652.tif 000010
2020012652.tif 000011